【手続補正書】
【提出日】平成17年11月4日(2005.11.4)
【手続補正１】
【補正対象書類名】特許請求の範囲
【補正対象項目名】全文
【補正方法】変更
【補正の内容】
【特許請求の範囲】
【請求項１】
複数の像担持体と、
各像担持体上に互いに異なる色の画像を形成する画像形成手段と、
各像担持体に対向する一次転写位置を通過するように複数の支持部材に張架されて駆動される無端ベルト状の中間転写体と、
各像担持体上に形成された各色の画像を前記中間転写体に重ね合わせて転写する一次転写手段と、
前記中間転写体に位置する二次転写位置で、前記中間転写体上の画像を記録媒体に一括転写する二次転写手段と、
前記二次転写位置を通過した記録媒体上の画像を定着するように前記二次転写位置の下流に設けられた定着手段と、
前記二次転写手段における二次転写位置および前記定着手段における定着位置を下流方向に向かって通過するように記録媒体を搬送する搬送手段と、
前記中間転写体の上方に位置する記録媒体受け面と前記定着手段を通過した記録媒体を前記記録媒体受け面上に排出する排出口とを有する排出部と
を備え、
前記排出部の前記記録媒体受け面の少なくとも一部が、前記排出口側に近づくにしたがって下方に傾斜し且つその最下端が前記排出口よりも低く形成され、
前記中間転写体の張架部に対向するように、前記複数の像担持体が配置され、
前記張架部が前記排出部の前記傾斜面に沿って傾斜して延在し、
前記中間転写体と前記排出部の前記記録媒体受け面との間に、前記画像形成手段で用いる互いに色が異なるトナーを収容する複数のトナー収容部が、前記記録媒体受け面の傾斜面に沿って並設され、
前記記録媒体受け面を、前記複数のトナー収容部を着脱可能とするために開閉可能に構成することを特徴とする画像形成装置。
【請求項２】
前記記録媒体受け面を回動可能に支持する回動軸が、前記排出口側に設けられていることを特徴とする、請求項１に記載の画像形成装置。
【請求項３】
当該画像形成装置がカラープリンタであることを特徴とする、請求項１または２に記載の画像形成装置。
【請求項４】
上記搬送手段が耐熱性材料で形成された搬送ベルト部材を用いて構成されていることを特徴とする、請求項１に記載の画像形成装置。
【請求項５】
前記二次転写位置から前記排出口までの記録媒体搬送経路が開放可能に設けられていることを特徴とする、請求項１に記載の画像形成装置。
【請求項６】
前記二次転写位置から前記定着手段までの記録媒体搬送経路が開放可能に設けられていることを特徴とする、請求項１に記載の画像形成装置。
【請求項７】
前記像担持体および前記中間転写体が当該画像形成装置本体に対して着脱可能なことを特徴とする、請求項１に記載の画像形成装置。
【請求項８】
複数のトナーカートリッジと、
記録媒体を排出する排出手段と、
前記排出手段側が低くなるよう傾斜し、前記排出手段から排出された記録媒体を積載する積載部と、
前記積載部の下方に設けられ、前記複数のトナーカートリッジのうち前記排出手段に近いトナーカートリッジが低くなるよう前記複数のトナーカートリッジを搭載するカートリッジ搭載部と
を備えることを特徴とする画像形成装置。
【請求項９】
前記積載部は、前記複数のトナーカートリッジを交換可能とするよう開閉可能に構成されていることを特徴とする、請求項８に記載の画像形成装置。
【請求項１０】
前記積載部は回動可能であり、該積載部の回動軸を前記排出手段側に設けることを特徴とする、請求項９に記載の画像形成装置。
【請求項１１】
前記複数のトナーカートリッジにそれぞれ対応する作像手段を備え、
該複数の作像手段を、前記排出手段に近い側の作像手段が低くなるように配列することを特徴とする、請求項８〜１０のいずれか１項に記載の画像形成装置。
【請求項１２】
前記複数の作像手段はそれぞれ感光体を備え、
該複数の感光体を、前記排出手段に近い側の感光体が低くなるように配列することを特徴とする、請求項１１に記載の画像形成装置。
【請求項１３】
前記複数の感光体にそれぞれ対応する転写手段を備え、
該複数の転写手段を、前記排出手段に近い側の転写手段が低くなるように配列することを特徴とする、請求項１２に記載の画像形成装置。
【手続補正２】
【補正対象書類名】明細書
【補正対象項目名】０００８
【補正方法】変更
【補正の内容】
【０００８】
前記の課題は、本発明により、複数の像担持体と、各像担持体上に互いに異なる色の画像を形成する画像形成手段と、各像担持体に対向する一次転写位置を通過するように複数の支持部材に張架されて駆動される無端ベルト状の中間転写体と、各像担持体上に形成された各色の画像を前記中間転写体に重ね合わせて転写する一次転写手段と、前記中間転写体に位置する二次転写位置で、前記中間転写体上の画像を記録媒体に一括転写する二次転写手段と、前記二次転写位置を通過した記録媒体上の画像を定着するように前記二次転写位置の下流に設けられた定着手段と、前記二次転写手段における二次転写位置および前記定着手段における定着位置を下流方向に向かって通過するように記録媒体を搬送する搬送手段と、前記中間転写体の上方に位置する記録媒体受け面と前記定着手段を通過した記録媒体を前記記録媒体受け面上に排出する排出口とを有する排出部とを備え、前記排出部の前記記録媒体受け面の少なくとも一部が、前記排出口側に近づくにしたがって下方に傾斜し且つその最下端が前記排出口よりも低く形成され、前記中間転写体の張架部に対向するように、前記複数の像担持体が配置され、前記張架部が前記排出部の前記傾斜面に沿って傾斜して延在し、前記中間転写体と前記排出部の前記記録媒体受け面との間に、前記画像形成手段で用いる互いに色が異なるトナーを収容する複数のトナー収容部が、前記記録媒体受け面の傾斜面に沿って並設され、前記記録媒体受け面を、前記複数のトナー収容部を着脱可能とするために開閉可能に構成することにより解決される。
【手続補正３】
【補正対象書類名】明細書
【補正対象項目名】０００９
【補正方法】変更
【補正の内容】
【０００９】
また、前記記録媒体受け面を回動可能に支持する回動軸が、前記排出口側に設けられていると好適である。
【手続補正４】
【補正対象書類名】明細書
【補正対象項目名】００１０
【補正方法】変更
【補正の内容】
【００１０】
また、当該画像形成装置がカラープリンタであると好適である。
【手続補正５】
【補正対象書類名】明細書
【補正対象項目名】００１１
【補正方法】変更
【補正の内容】
【００１１】
また、上記搬送手段が耐熱性材料で形成された搬送ベルト部材を用いて構成されていると好適である。
【手続補正６】
【補正対象書類名】明細書
【補正対象項目名】００１２
【補正方法】変更
【補正の内容】
【００１２】
また、前記二次転写位置から前記排出口までの記録媒体搬送経路が開放可能に設けられていると好適である。
【手続補正７】
【補正対象書類名】明細書
【補正対象項目名】００１３
【補正方法】変更
【補正の内容】
【００１３】
また、前記二次転写位置から前記定着手段までの記録媒体搬送経路が開放可能に設けられていると好適である。
【手続補正８】
【補正対象書類名】明細書
【補正対象項目名】００１４
【補正方法】変更
【補正の内容】
【００１４】
また、前記像担持体および前記中間転写体が当該画像形成装置本体に対して着脱可能であると好適である。
【手続補正９】
【補正対象書類名】明細書
【補正対象項目名】００１５
【補正方法】変更
【補正の内容】
【００１５】
また、前記の課題を解決するため、本発明は、複数のトナーカートリッジと、
記録媒体を排出する排出手段と、前記排出手段側が低くなるよう傾斜し、前記排出手段から排出された記録媒体を積載する積載部と、前記積載部の下方に設けられ、前記複数のトナーカートリッジのうち前記排出手段に近いトナーカートリッジが低くなるよう前記複数のトナーカートリッジを搭載するカートリッジ搭載部とを備えることを提案する。
【手続補正１０】
【補正対象書類名】明細書
【補正対象項目名】００１６
【補正方法】変更
【補正の内容】
【００１６】
また、前記積載部は、前記複数のトナーカートリッジを交換可能とするよう開閉可能に構成されていると好適である。
【手続補正１１】
【補正対象書類名】明細書
【補正対象項目名】００１７
【補正方法】変更
【補正の内容】
【００１７】
また、前記積載部は回動可能であり、該積載部の回動軸を前記排出手段側に設けると好適である。
【手続補正１２】
【補正対象書類名】明細書
【補正対象項目名】００１８
【補正方法】変更
【補正の内容】
【００１８】
また、前記複数のトナーカートリッジにそれぞれ対応する作像手段を備え、該複数の作像手段を、前記排出手段に近い側の作像手段が低くなるように配列すると好適である。
【手続補正１３】
【補正対象書類名】明細書
【補正対象項目名】００１９
【補正方法】変更
【補正の内容】
【００１９】
また、前記複数の作像手段はそれぞれ感光体を備え、該複数の感光体を、前記排出手段に近い側の感光体が低くなるように配列すると好適である。
【手続補正１４】
【補正対象書類名】明細書
【補正対象項目名】００２０
【補正方法】変更
【補正の内容】
【００２０】
また、前記複数の感光体にそれぞれ対応する転写手段を備え、
該複数の転写手段を、前記排出手段に近い側の転写手段が低くなるように配列すると好適である。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】変更
【補正の内容】
【００２８】
請求項１の画像形成装置によれば、記録媒体受け面を開けることで、中間転写体と記録媒体受け面の間に配置したトナー収容部を着脱することができる。
【手続補正２３】
【補正対象書類名】明細書
【補正対象項目名】００２９
【補正方法】変更
【補正の内容】
【００２９】
請求項２の構成により、記録媒体受け面に記録済み用紙があるときに受け面を開放しても、記録済み用紙が落下することが無い。
【手続補正２４】
【補正対象書類名】明細書
【補正対象項目名】００３０
【補正方法】変更
【補正の内容】
【００３０】
請求項３の構成により、カラープリンタにて本発明を実施することができる。
【手続補正２５】
【補正対象書類名】明細書
【補正対象項目名】００３１
【補正方法】変更
【補正の内容】
【００３１】
請求項４の構成により、耐熱性材料で形成された搬送ベルト部材により記録媒体を定着位置まで確実に搬送することができる。
【手続補正２６】
【補正対象書類名】明細書
【補正対象項目名】００３２
【補正方法】変更
【補正の内容】
【００３２】
請求項５の構成により、二次転写位置から排出口まで、定着位置を含めて記録媒体搬送経路を開放してジャム処理を容易に行なうことができる。
【手続補正２７】
【補正対象書類名】明細書
【補正対象項目名】００３３
【補正方法】変更
【補正の内容】
【００３３】
請求項６の構成により、二次転写位置から定着手段までの記録媒体搬送経路を開放してジャム処理を容易に行なうことができる。
【手続補正２８】
【補正対象書類名】明細書
【補正対象項目名】００３４
【補正方法】変更
【補正の内容】
【００３４】
請求項７の構成により、像担持体及び中間転写体の交換やメンテナンスを容易に行なうことができる。
【手続補正２９】
【補正対象書類名】明細書
【補正対象項目名】００３５
【補正方法】変更
【補正の内容】
【００３５】
請求項８の画像形成装置によれば、排出手段側が低くなるように傾斜した記録媒体積載部の下方に複数のトナーカートリッジを配置することができる。
【手続補正３０】
【補正対象書類名】明細書
【補正対象項目名】００３６
【補正方法】変更
【補正の内容】
【００３６】
請求項９の構成により、積載部を開けることで、トナーカートリッジを交換することができる。
【手続補正３１】
【補正対象書類名】明細書
【補正対象項目名】００３７
【補正方法】変更
【補正の内容】
【００３７】
請求項１０の構成により、積載部に記録済み用紙があるときに積載部を開放しても、記録済み用紙が落下することが無い。
【手続補正３２】
【補正対象書類名】明細書
【補正対象項目名】００３８
【補正方法】変更
【補正の内容】
【００３８】
請求項１１の構成により、複数のトナーカートリッジに対応する作像手段を、トナーカートリッジの配置に対応して配列することができる。
【手続補正３３】
【補正対象書類名】明細書
【補正対象項目名】００３９
【補正方法】変更
【補正の内容】
【００３９】
請求項１２の構成により、複数の感光体をトナーカートリッジの配置に対応して配列することができる。
【手続補正３４】
【補正対象書類名】明細書
【補正対象項目名】００４０
【補正方法】変更
【補正の内容】
【００４０】
請求項１３の構成により、複数の転写手段を感光体の配置に対応して配列することができる。
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】０２３２
【補正方法】変更
【補正の内容】
【０２３２】
１            感光体ドラム（第１の像担持体）
１０          中間転写ベルト（第２の像担持体）
１８，１９    定着ローラ
２０          ベルトユニット
２１          転写ローラ（第１転写手段）
２２          転写チャージャ（第２転写手段）
２５，２５０  ベルトクリーニング装置
３０，３０Ｂ，３０Ｃ，３０Ｄ  定着装置
４０ 排紙スタック部
４０Ａ カバー
４０Ｂ 回動軸
５０          極性変換装置
５３          ステッピングモータ
６０          中間転写ベルト（第１の像担持体）
１００        プリンタ
１１０        中間転写体又は中間転写ベルト（第２の像担持体）
ＰＵ          画像形成部
ＳＵ          作像ユニット